(57)【特許請求の範囲】
【請求項１】
第１のユーザ機器によって受信される第１のダウンリンク制御情報（ＤＣＩ）メッセージ内の第１の情報に基づいて、前記第１のユーザ機器に記憶されたテーブルから、情報の複数のセットのうちの１つの示されたセットにアクセスするステップと、
前記複数のセットのうちの前記１つの示されたセット内の情報に基づいて、少なくとも１つの第２のユーザ機器について干渉の抑制および除去のうちの少なくとも１つを実行するステップと、を含み、
前記複数のセットの各々は、前記少なくとも１つの第２のユーザ機器の少なくとも１つの識別子を含み、該第２のユーザ機器は、マルチユーザＭＩＭＯのために前記第１のユーザ機器とペアリングされ、
前記少なくとも１つの第２のユーザ機器は、複数の第２のユーザ機器の内の少なくとも１つであり、
前記複数のセットは、前記第１のユーザ機器と前記複数の第２のユーザ機器の種々のサブセットとの間の種々のペアリングを示す、
方法。
【請求項２】
前記第１のユーザ機器において、前記第１のＤＣＩメッセージを復号するステップをさらに含み、前記第１の情報が、マルチユーザＭＩＭＯが使用されているかどうかを示す少なくとも１つのビットを含む、請求項１に記載の方法。
【請求項３】
少なくとも１つのＤＣＩ探索空間を介して、少なくとも１つの第２のＤＣＩメッセージを復号するステップをさらに含む、請求項２に記載の方法。
【請求項４】
干渉の抑制および除去のうちの少なくとも１つを実行するステップは、前記少なくとも１つの第２のユーザ機器の少なくとも１つのダウンリンク共有チャネルについてのスケジューリング情報に基づいて、干渉の抑制および除去のうちの少なくとも１つを実行するステップを含み、前記スケジューリング情報が、前記少なくとも１つの第２のＤＣＩメッセージに含まれる、請求項３に記載の方法。
【請求項５】
前記少なくとも１つの第２のユーザ機器の前記少なくとも１つの識別子、
前記少なくとも１つの第２のユーザ機器に関する少なくとも１つのＤＣＩ探索空間を示す情報、および、
前記少なくとも１つの第２のユーザ機器に関連付けられたセル識別子、
においてヌル値を有する前記複数のセットのうちの前記１つの示されたセットに応答して、マルチユーザＭＩＭＯが使用されていないと判断するステップをさらに含む、請求項２に記載の方法。
【請求項６】
第１のユーザ機器宛の第１のメッセージを送信するステップであって、前記第１のメッセージが、情報の複数のセットを示す情報を含む、ステップと、
前記第１のメッセージを送信するステップに続いて、前記第１のユーザ機器宛の第１のダウンリンク制御情報（ＤＣＩ）メッセージを送信するステップであって、前記第１のＤＣＩメッセージが、前記複数のセットのうちの１つの示されたセットを示すとともにマルチユーザＭＩＭＯが使用されているかどうかを示す少なくとも１つのビットを含む、ステップと、を含み、
前記複数のセットの各々が、マルチユーザＭＩＭＯのために前記第１のユーザ機器とのペアリングが可能な少なくとも１つの第２のユーザ機器の少なくとも１つの識別子を含み、
前記少なくとも１つの第２のユーザ機器は、複数の第２のユーザ機器の内の少なくとも１つであり、
前記複数のセットは、前記第１のユーザ機器と前記複数の第２のユーザ機器の種々のサブセットとの間の種々のペアリングを示す、
方法。
【請求項７】
前記第１のユーザ機器および前記少なくとも１つの第２のユーザ機器の干渉抑制能力もしくは干渉除去能力、参照信号受信電力の測定値、または前記第１のユーザ機器および前記少なくとも１つの第２のユーザ機器に関連付けられたプリコーディング・マトリクス・インジケータの受信値のうちの少なくとも１つに基づいて、マルチユーザＭＩＭＯのための前記第１のユーザ機器と前記少なくとも１つの第２のユーザ機器との前記ペアリングを決定するステップと、をさらに含む、請求項６に記載の方法。
【請求項８】
前記第１のＤＣＩメッセージを送信するステップが、連続する送信時間間隔で送信される複数のＤＣＩメッセージのうちの１つとして前記第１のＤＣＩメッセージを送信するステップを含む、請求項６に記載の方法。
【請求項９】
前記第１のＤＣＩメッセージを送信するステップが、マルチユーザＭＩＭＯのために前記第１のユーザ機器が前記少なくとも１つの第２のユーザ機器とペアリングされることを示す値を有する、少なくとも１つのビットを送信するステップを含む、請求項６に記載の方法。
【請求項１０】
前記第２のユーザ機器宛の第２のＤＣＩメッセージを送信するステップをさらに含む、請求項６に記載の方法。
【請求項１１】
情報の複数のセットを有するテーブルを格納しているメモリと、
プロセッサと、
を備える第１のユーザ機器であって、
前記プロセッサは、
受信した第１のダウンリンク制御情報（ＤＣＩ）メッセージ内の第１の情報に基づいて、前記テーブルから、前記情報の複数のセットのうちの１つの示されたセットにアクセスし、
前記複数のセットのうちの前記１つの示されたセット内の情報に基づいて、少なくとも１つの第２のユーザ機器について干渉の抑制および除去のうちの少なくとも１つを実行する、
ように構成され、
前記複数のセットの各々は、前記少なくとも１つの第２のユーザ機器の少なくとも１つの識別子を含み、該第２のユーザ機器は、マルチユーザＭＩＭＯのために前記第１のユーザ機器とペアリングされ、
前記少なくとも１つの第２のユーザ機器は、複数の第２のユーザ機器の内の少なくとも１つであり、
前記複数のセットは、前記第１のユーザ機器と前記複数の第２のユーザ機器の種々のサブセットとの間の種々のペアリングを示す、
第１のユーザ機器。
【請求項１２】
第１のユーザ機器宛の第１のメッセージを生成するように構成されたプロセッサと、
送受信機と、
を備える基地局であって、
前記送受信機は、
前記第１のメッセージを送信し、
前記第１のメッセージの送信に続いて、前記第１のユーザ機器宛の第１のダウンリンク制御情報（ＤＣＩ）メッセージを送信する、
ように構成され、
前記第１のＤＣＩメッセージが、前記複数のセットのうちの１つの示されたセットを示すとともにマルチユーザＭＩＭＯが使用されているかどうかを示す少なくとも１つのビットを含み、
前記第１のメッセージが、情報の複数のセットを示す情報を含み、
前記複数のセットの各々が、マルチユーザＭＩＭＯのために前記第１のユーザ機器とのペアリングが可能な少なくとも１つの第２のユーザ機器の少なくとも１つの識別子を含み、
前記少なくとも１つの第２のユーザ機器は、複数の第２のユーザ機器の内の少なくとも１つであり、
前記複数のセットは、前記第１のユーザ機器と前記複数の第２のユーザ機器の種々のサブセットとの間の種々のペアリングを示す、
基地局。
【発明の詳細な説明】
【技術分野】
【０００１】
本開示は、概して無線通信に関し、より詳細には、マルチユーザＭＩＭＯ無線通信に関する。
【背景技術】
【０００２】
無線通信システムは、送信または受信のために複数のアンテナを使用する送信機および受信機間の通信性能を改善するために、多入力／多出力（ＭＩＭＯ）技術を実装することがある。シングルユーザＭＩＭＯ（ＳＵ−ＭＩＭＯ）では、単一のマルチアンテナ送信機が単一のマルチアンテナ受信機と通信し、マルチユーザＭＩＭＯ（ＭＵ−ＭＩＭＯ）では、利用可能なアンテナが、複数の送信機位置および受信機位置に分散されている。ＭＵ−ＭＩＭＯシステムは、異なる空間チャネルを使用して、同じ周波数リソースで別々の信号を異なる受信機に同時に送信することができる。例えば、ＭＵ−ＭＩＭＯ基地局は、異なる位置の異なるユーザ機器に、同じ周波数リソース（１つまたは複数の物理リソース・ブロックなど）で信号を同時に送信することができる。実際には、同時信号を異なるユーザ機器に送信するために使用される異なる空間チャネルは完全に直交であるわけではなく、あるユーザ機器向けの信号が他のユーザ機器向けの信号と干渉する。
【発明の概要】
【課題を解決するための手段】
【０００３】
以下に、開示された主題のいくつかの態様の基本的理解をもたらすために、開示された主題の簡略化された要約を提示する。この要約は、開示された主題の網羅的な概要ではない。それは、開示された主題の主要な要素、もしくは重要な要素を識別すること、または開示された主題の範囲を線引きすることを目的とするものではない。その唯一の目的は、後で述べるさらに詳細な説明の前置きとして、簡略化した形式でいくつかの概念を提示することである。
【０００４】
いくつかの実施形態では、方法は、マルチユーザＭＩＭＯ送信が可能な無線通信システムにおける干渉の除去および抑制のために提供される。方法の一実施形態は、第１のユーザ機器宛の第１のダウンリンク制御情報（ＤＣＩ）メッセージ内の第１の情報に基づいて、第１のユーザ機器に記憶されたテーブルから、マルチユーザＭＩＭＯのためのペアリングを示す情報の複数のセットのうちの１つまたは複数にアクセスするステップを含む。方法は、また、複数のセットのうちの１つのセット内の情報に基づいて、１つまたは複数の第２のユーザ機器について干渉の抑制または除去を実行するステップを含む。
【０００５】
いくつかの実施形態では、方法は、マルチユーザＭＩＭＯ送信が可能な無線通信システムにおける干渉の除去および抑制のために、第１のユーザ機器を構成するために提供される。方法の一実施形態は、第１のユーザ機器宛の第１のメッセージを送信するステップを含む。第１のメッセージは、マルチユーザＭＩＭＯのための、第１のユーザ機器と１つまたは複数の第２のユーザ機器との少なくとも１つの潜在的ペアリングを示す情報の複数のセットを示す情報を含む。方法は、また、第１のメッセージを送信するステップに続いて、第１のユーザ機器宛の第１のダウンリンク制御情報（ＤＣＩ）メッセージを送信するステップを含む。第１のＤＣＩメッセージは、複数のセットのうちの１つまたは複数を示し、かつマルチユーザＭＩＭＯが使用されているかどうかを示す、１つまたは複数のビットを含む。
【０００６】
本開示は、よりよく理解されることができ、添付図面を参照することにより、その多くの特徴および利点が当業者に明らかになる。異なる図面中の同じ参照記号の使用は、類似または同一の項目を指す。
【図面の簡単な説明】
【０００７】
【図１】いくつかの実施形態による、無線通信システムの例のブロック図である。
【図２】いくつかの実施形態による、ダウンリンク制御情報（ＤＣＩ）メッセージの図である。
【図３】いくつかの実施形態による、ＭＵ−ＭＩＭＯダウンリンク送信のための、異なるユーザ機器への物理リソース・ブロックの割り当ての図である。
【図４】いくつかの実施形態による、ＭＵ−ＭＩＭＯダウンリンク送信のための、ユーザ機器のペアリングのセットを識別する情報を記憶するテーブルの図である。
【図５】いくつかの実施形態による、符号語干渉除去を実施するユーザ機器のブロック図である。
【図６】いくつかの実施形態による、干渉除去または干渉抑制のために構成情報をユーザ機器に提供する方法のフロー図である。
【図７】いくつかの実施形態による、干渉除去または干渉抑制のためにユーザ機器を構成する方法のフロー図である。
【図８】いくつかの実施形態による、無線通信システムの例のブロック図である。
【発明を実施するための形態】
【０００８】
ユーザ機器は、ネットワークにより提供される情報、ネットワーク支援型干渉除去抑制（ＮＡＩＣＳ）と呼ばれる技術を使用して、同じ周波数リソースにおける他のユーザ機器からの干渉を抑制または除去することができる。しかしながら、送信機位置間の非理想的なバックホール・リンクは、ユーザ機器へのネットワーク支援情報の動的送信をサポートするのに十分高速に、または正確に、干渉送信を特徴付けるのに使用される情報を伝達することができない可能性があるため、ネットワーク支援情報は、典型的には、例えば、少なくともいくつかの送信時間間隔（ＴＴＩ）の時間スケールで送信される無線リソース制御（ＲＲＣ）メッセージを使用して、半静的にユーザ機器に提供される。符号語干渉除去などの高度な受信機設計をサポートするために送信位置間で交換されるべき大量の情報によって、この問題は悪化する。例えば、物理リソース・ブロック毎、ＴＴＩ毎、ユーザ機器レベル毎に符号語干渉除去を適用するユーザ機器は、干渉するユーザ機器の物理ダウンリンク共有チャネル（ＰＤＳＣＨ）についてほぼ完全な動的スケジューリング情報を必要とする。スケジューリング情報は、干渉するユーザ機器によって使用される変調および符号化方式、干渉するユーザ機器の識別子、物理リソース・ブロック割り当て、レイヤ・マッピング、復調用参照信号（ＤＭＲＳ）ポート・マッピングなどを含み得る。
【０００９】
ユーザ機器は、予め提供されたテーブルから、干渉するユーザ機器の識別子および対応するダウンリンク制御情報（ＤＣＩ）探索空間にアクセスすることによって、１つまたは複数の干渉するユーザ機器についてのスケジューリング情報を動的に取得することができる。テーブル内のエントリは、ユーザ機器宛の第１のＤＣＩメッセージ内の第１の情報に基づいてアクセスされてもよい。ユーザ機器は、対応するＤＣＩ探索空間を介して、干渉するユーザ機器宛の１つまたは複数の第２のＤＣＩメッセージをブラインド復号することができる。干渉するユーザ機器についての復号されたスケジューリング情報は、次いで、例えば、干渉するユーザ機器の物理ダウンリンク共有チャネル（ＰＤＳＣＨ）を復号すること、および受信された信号から復号された信号を減算することによって、干渉するユーザ機器からの信号の干渉の抑制または除去を実行するために使用されてもよい。基地局は、ユーザ機器と干渉するユーザ機器との、予測される、または潜在的なＭＵ−ＭＩＭＯペアリングに基づいて、予め提供されたテーブル内のエントリの値を決定することができる。エントリの値は、また、ユーザ機器と干渉するユーザ機器との間の干渉レベルの推定に基づいて、決定されてもよい。基地局は、第１のＤＣＩメッセージまたは第２のＤＣＩメッセージの送信前に、ＲＲＣシグナリングにおいて予め提供されたテーブルをユーザ機器に提供することができる。第１のＤＣＩメッセージに含まれる第１の情報のいくつかの実施形態は、予め提供されたテーブル内のエントリを識別するための１つまたは複数のビットを含む。
【００１０】
図１は、いくつかの実施形態による、無線通信システム１００の例のブロック図である。無線通信システム１００は、複数のアンテナ１１１、１１２、１１３、１１４（本明細書中では、まとめて「アンテナ１１１〜１１４」と呼ばれる）を使用してエア・インターフェースを介して信号を送信および受信する、１つまたは複数の基地局１０５、１１０を含む。アンテナ１１１〜１１４、またはそのサブセットは、アンテナ・アレイまたはＭＩＭＯアレイと呼ばれてもよい。アンテナ１１１〜１１４は、複数の位置に分散されてもよく、したがって、異なる、直交またはほぼ直交の空間チャネル上の同じ周波数リソースにおいて、別々の信号を異なる受信機に同時に送信するように、マルチユーザＭＩＭＯ（ＭＵ−ＭＩＭＯ）をサポートしてもよい。
【００１１】
基地局１０５、１１０は、また、バックホール接続１２０、１２５を介してスケジューラ１１５に接続されてもよい。基地局１０５、１１０およびスケジューラ１１５のいくつかの実施形態は、同一場所に配置されてもよい。例えば、基地局１０５、１１０とスケジューラ１１５との間で送信される信号のレイテンシが軽微であるように、基地局１０５、１１０およびスケジューラ１１５は、同じ物理デバイス内に実装されてもよい。したがって、同一場所配置型の実施形態におけるバックホール接続１２０、１２５は、実質的に理想的と考えられ得る。他の実施形態では、基地局１０５、１１０、またはスケジューラ１１５のうちの１つまたは複数が、異なる位置に配備される、異なる物理デバイス間に分配される。レイテンシ、または非理想的なバックホール接続１２０、１２５は、同一場所に配置されていない基地局１０５、１１０とスケジューラ１１５との間で交換され得る情報量を制限してもよい。
【００１２】
基地局１０５、１１０、およびアンテナ１１１〜１１４は、１つまたは複数のカバレッジ・エリア１３０、１３５上で無線接続を提供するために使用されてもよい。カバレッジ・エリア１３０、１３５は、セルまたはセクタとも呼ばれてもよく、カバレッジ・エリア１３０、１３５のいくつかの実施形態は、部分的に、または完全に重なり合っていてもよい。プリコーディングまたはビームフォーミング技術は、アンテナ１１１〜１１４により送信または受信される信号に異なる重みまたは位相を適用すること、例えば、アンテナ１１１〜１１４から送信されるべき信号を表すベクトルに、１つまたは複数のプリコーディング・マトリクスを掛けることによって、カバレッジ・エリア１３０、１３５の方向または開き角度を定義するために使用されてもよい。
【００１３】
カバレッジ・エリア１３０、１３５内のユーザ機器１４０、１４５、１５０は、エア・インターフェース、例えば、１つまたは複数のアップリンク・チャネルまたはダウンリンク・チャネルを介して、基地局１０５、１１０と通信してもよい。スケジューラ１１５は、連続する送信時間間隔（ＴＴＩ）またはサブフレームにおける、アップリンク・チャネルまたはダウンリンク・チャネルを介した送信をスケジューリングしてもよい。スケジューラ１１５のいくつかの実施形態は、物理リソース・ブロックの粒度でサブフレームの周波数リソースにおける送信をスケジューリングすることができ、物理リソース・ブロックは、周波数またはサブキャリア、および時間間隔またはシンボルによって定義される１つまたは複数のリソース・エレメントを含む。各サブフレームは、複数の周波数またはサブキャリア、および時間間隔またはシンボルを含む。ＰＤＳＣＨなどのチャネルは、各サブフレーム内に１つまたは複数の物理リソース・ブロックを含んでもよい。したがって、スケジューラ１１５のいくつかの実施形態は、ＰＤＳＣＨに割り当てられる物理リソース・ブロックのサブセットにおいて、ユーザ機器１４０、１４５、１５０へのダウンリンク通信をスケジューリングしてもよい。スケジューラ１１５の他の実施形態は、例えば、無線リソース制御（ＲＲＣ）シグナリングを使用して基地局１０５、１１０を構成するための情報を提供し得る補助スケジューラであってもよく、それによって、基地局１０５、１１０は、本明細書で説明するように、ダウンリンク送信をスケジューリングしてもよい。
【００１４】
基地局１０５、１１０は、異なる位置の異なるユーザ機器に、同じ周波数リソース（１つまたは複数の物理リソース・ブロックなど）において信号を同時に送信することができる、ＭＵ−ＭＩＭＯモードで動作してもよい。例えば、基地局１０５、１１０は、同じ物理リソース・ブロックまたは物理リソース・ブロックの同じセットにおいて、２つ以上のユーザ機器１４０、１４５、１５０に信号を同時に送信してもよい。アンテナ１１１〜１１４からユーザ機器１４０、１４５、１５０へのエア・インターフェース・チャネル間の空間ダイバーシティは、同時信号間に直交性をもたらす。基地局１０５、１１０が、ＭＵ−ＭＩＭＯモードで動作しているとき、スケジューラ１１５は、同じ物理リソース・ブロックにおける同時ダウンリンク送信のために、ユーザ機器１４０、１４５、１５０のうちの２つ以上を「ペアリング」してもよい。本明細書で使用される、「ペアリング」という用語は、２つ以上のユーザ機器を関連付けることをいい、したがって、「ペアリングされた」ユーザ機器は、同じ物理リソース・ブロックにおける同時ダウンリンク送信のために一緒にスケジューリングされてもよい。例えば、ＭＵ−ＭＩＭＯのいくつかの実施形態では、最大４つの異なるユーザ機器が、同じサブフレームの同じ物理リソース・ブロックにおける同時ダウンリンク送信のために「ペアリング」されてもよい。
【００１５】
ペアリング（またはペアリングの変更）は、ユーザ機器１４０、１４５、１５０またはそれらの組み合わせのフィードバック、干渉レベル、特性、または能力に基づいて決定されてもよい。スケジューラ１１５のいくつかの実施形態は、ユーザ機器１４０、１４５、１５０から受信されるフィードバックに基づいて、ユーザ機器１４０、１４５、１５０をペアリングする。例えば、スケジューラ１１５は、各サブフレームにおいて、ユーザ機器１４０、１４５、１５０のうちの１つまたは複数から受信されるプリコーディング・マトリクス・インジケータ（ＰＭＩ）に基づいて、ペアリングを実行してもよい。別の例では、スケジューラ１１５は、ユーザ機器１４０、１４５、１５０のうちの１つまたは複数から受信される参照信号受信電力（ＲＳＲＰ）の測定値を示す、より長い時間スケールのフィードバックに基づいて、ペアリングを実行してもよい。フィードバックは、ユーザ機器１４０、１４５、１５０間の干渉を推定するために使用されてもよく、推定された干渉レベルは、ユーザ機器１４０、１４５、１５０のうちの１つまたは複数をペアリングするかどうかを決定するために使用されてもよい。スケジューラ１１５のいくつかの実施形態は、ユーザ機器１４０、１４５、１５０の干渉除去能力または干渉抑制能力に基づいて、ユーザ機器１４０、１４５、１５０をペアリングする。例えば、ユーザ機器１４０、１４５、１５０が、符号語干渉除去などの高度な技術をサポートしている場合、スケジューラ１１５は、同じリソースに対してより多くの数のユーザ機器１４０、１４５、１５０をペアリングしてもよい。ユーザ機器１４０、１４５、１５０が、干渉抑圧合成（ＩＲＣ）を伴う最小平均二乗誤差（ＭＭＳＥ）推定などのあまり高度でない技術をサポートしている場合、スケジューラ１１５は、より少ない数のユーザ機器１４０、１４５、１５０をペアリングしてもよい。スケジューラ１１５のいくつかの実施形態は、サブフレームによってペアリングが変化し得るように、サブフレーム単位でユーザ機器１４０、１４５、１５０のペアリングを決定または修正してもよい。
【００１６】
ペアリングされたユーザ機器１４０、１４５、１５０に同時信号を送信するために使用される空間チャネルは、完全に直交であるわけではない可能性があり、ペアリングされたユーザ機器１４０、１４５、１５０向けの信号が、互いに干渉することもある。したがって、ユーザ機器１４０、１４５、１５０は、他のユーザ機器１４０、１４５、１５０から受信された干渉信号のうちのいくらかまたは全てを除去するために、干渉の抑制または除去を実行してもよい。干渉の抑制または除去は、ユーザ機器１４０、１４５、１５０の潜在的ペアリングを示す、記憶された情報に基づいて実行されてもよい。記憶された情報は、スケジューラ１１５によって生成され、提供されてもよい。例えば、スケジューラ１１５は、ユーザ機器１４０が、ユーザ機器１４５またはユーザ機器１５０とペアリングされる可能性があると（フィードバックまたは能力に基づいて）決定してもよい。スケジューラ１１５は、ユーザ１４５、１５０との異なる潜在的ペアリングを示す情報を含むメッセージを、ユーザ機器１４０に送信してもよい。例えば、メッセージは、ユーザ機器１４０とユーザ機器１４５とのペアリングについての第１のセット、ユーザ機器１４０とユーザ機器１４５、１５０両方とのペアリングについての第２のセット、およびユーザ機器１４０とユーザ機器１５０とのペアリングについての第３のセットを示す情報を含む、無線リソース制御（ＲＲＣ）メッセージであってもよい。ＲＲＣメッセージは、また、基地局１０５、１１０が、ユーザ機器１４０へのダウンリンク送信のためにＭＵ−ＭＩＭＯを使用していないことを示す情報を含んでもよい。例えば、情報は、ユーザ機器１４０が他のいかなるユーザ機器ともペアリングされない、第４のセットを示してもよい。
【００１７】
基地局１０５、１１０は、続いて、ユーザ機器１４０宛のダウンリンク制御情報（ＤＣＩ）メッセージを使用して、ＤＣＩメッセージを送信するために使用されるサブフレームに有効なペアリングを示してもよい。例えば、ＤＣＩメッセージは、以前にユーザ機器１４０に送信されたペアリングのセットのうちの１つを示す、１つまたは複数のビットを含んでもよい。したがって、ＤＣＩメッセージ内のビットの値は、基地局１０５、１１０がＭＵ−ＭＩＭＯを使用しているかどうか、および、もし使用していれば、どのユーザ機器がユーザ機器１４０とペアリングされるかを示してもよい。例えば、ＤＣＩメッセージ内のビットの値が、第１のセットを示す場合、基地局１０５、１１０は、ＭＵ−ＭＩＭＯを使用しており、ユーザ機器１４０は、ＤＣＩメッセージを送信するのに使用されるサブフレームにおいてユーザ機器１４５とペアリングされている。別の例では、ＤＣＩメッセージ内のビットの値が、第４のセットを示す場合、基地局１０５、１１０は、ＭＵ−ＭＩＭＯを使用しておらず、ユーザ機器１４０は、ＤＣＩメッセージを送信するのに使用されるサブフレームにおいて、他のいかなるユーザ機器ともペアリングされていない。
【００１８】
基地局１０５、１１０から受信されたＲＲＣメッセージは、また、干渉除去または干渉抑制を容易にするための追加情報を含んでもよい。ＲＲＣメッセージのいくつかの実施形態は、ペアリングされたユーザ機器を識別する情報、ペアリングされたユーザ機器に関連付けられるＤＣＩ探索空間、およびペアリングされたユーザ機器に関連付けられるセル識別子を含む。例えば、ユーザ機器１４０およびユーザ機器１４５のペアリングについての第１のセットを示すＲＲＣメッセージは、また、ユーザ機器１４５の識別子、ユーザ機器１４５宛ＤＣＩメッセージのためのＤＣＩ探索空間、およびユーザ機器１４５に関連付けられるカバレッジ・エリア１３０、１３５のうちの１つについてのセル識別子を含んでもよい。いくつかの実施形態では、ＲＲＣメッセージは、ユーザ機器の能力に基づいて決定される情報を含んでもよい。例えば、ユーザ機器１４０が、連続的な干渉除去を実施する場合、ＲＲＣメッセージは、ペアリングされたユーザ機器によって使用される変調および符号化方式を識別する情報を含んでもよい。
【００１９】
ユーザ機器１４０は、基地局１０５、１１０から受信された情報を記憶し、続いて、この情報を使用して、ペアリングされたユーザ機器宛のＤＣＩメッセージから動的スケジューリング情報を取得してもよい。例えば、ユーザ機器１４０宛のＤＣＩメッセージが第１のセットを示す場合、ユーザ機器１４０は、記憶された情報内で示されるＤＣＩ探索空間を介して、ユーザ機器１４５宛のＤＣＩメッセージのブラインド復号を実行してもよい。復号されたＤＣＩメッセージは、ユーザ機器１４５宛のダウンリンク信号についての完全なスケジューリング情報を含んでもよく、それによって、サブフレーム単位での干渉除去に使用されてもよい。例えば、ユーザ機器１４０は、符号語干渉除去を使用して、復号されたＤＣＩメッセージから取得したスケジューリング情報単位で、ユーザ機器１４５からの干渉を除去してもよい。
【００２０】
図２は、いくつかの実施形態による、ダウンリンク制御情報（ＤＣＩ）メッセージ２００の図である。ＤＣＩメッセージ２００のいくつかの実施形態は、ダウンリンク送信を符号化するために使用されるリソースを示すフィールドを含む。例えば、ＤＣＩメッセージ２００は、ＤＣＩメッセージ２００を含むサブフレームにおけるダウンリンク送信を変調および符号化するのに使用される変調および符号化方式を示す値についてのフィールド（ＭＣＳ）を含んでもよい。ＤＣＩメッセージ２００は、また、ＤＣＩメッセージ２００を受信するべきユーザ機器を識別する値についてのフィールド（ＵＥ−ＩＤ）、ＰＤＳＣＨなどのダウンリンク・チャネルへの物理リソース・ブロックの割り当てを示す値についてのフィールド（ＰＲＢ）、レイヤ・マッピングを示す値についてのフィールド（ＬＡＹＥＲ）、および復調用参照信号ポート・マッピングを示す値についてのフィールド（ＤＭＲＳ）を含む。別の例では、ＤＣＩメッセージ２００は、ＭＣＳフィールド、ＰＲＢフィールド、およびＬＡＹＥＲ／ＤＭＲＳ情報をともに符号化するフィールドを含む、レガシーＤＣＩメッセージに基づいてもよい。レガシーＤＣＩメッセージは、ユーザ機器を識別するためのフィールドを含まなくともよい。
【００２１】
ＤＣＩメッセージ２００のいくつかの実施形態は、また、ＤＣＩメッセージ２００を含むサブフレームの間、ＭＵ−ＭＩＭＯが使用されているどうかを示す値を含む、１つまたは複数のフィールドを含む。例えば、ＤＣＩメッセージ２００は、ユーザ機器によって以前に記憶された複数のセットのうちの１つまたは複数を識別するために使用され得る、１つまたは複数のビット２０５を含んでもよい。本明細書で説明するように、セットは、ユーザ機器のペアリング、およびペアリングされたユーザ機器宛のＤＣＩメッセージのためのＤＣＩ探索空間などの他の情報を識別してもよい。ビット２０５の値が、１つまたは複数のペアリングされたユーザ機器を識別する１つまたは複数のセットを示す場合、ＤＣＩメッセージ２００を復号するユーザ機器は、ＤＣＩメッセージ２００を含むサブフレームの間、ＭＵ−ＭＩＭＯが使用されていると判断してもよい。一方、ビット２０５の値が、ペアリングされたいかなるユーザ機器も識別しないか、またはヌル値の１つまたは複数のフィールドを有するセットを示す場合、ＤＣＩメッセージ２００を復号するユーザ機器は、ＤＣＩメッセージ２００を含むサブフレームの間、ＭＵ−ＭＩＭＯが使用されていないと判断してもよい。
【００２２】
図３は、いくつかの実施形態による、ＭＵ−ＭＩＭＯダウンリンク送信のための、異なるユーザ機器への物理リソース・ブロックの割り当ての図である。物理リソース・ブロックＰＲＢ  ｋ、ＰＲＢ  ｋ＋１、ＰＲＢ  ｋ＋２、ＰＲＢ  ｋ＋３のセット３００は、ダウンリンク送信のために、図１に示されるユーザ機器１４０などの第１のユーザ機器に割り当てられる。物理リソース・ブロックＰＲＢ  ｋ、ＰＲＢ  ｋ＋１のセット３０５は、ダウンリンク送信のために、図１に示されるユーザ機器１４５などの第２のユーザ機器に割り当てられる。物理リソース・ブロックＰＲＢ  ｋ＋２、ＰＲＢ  ｋ＋３のセット３１０は、ダウンリンク送信のために、図１に示されるユーザ機器１５０などの第３のユーザ機器に割り当てられる。明確化のために、セット３００は、セット３０５、３１０の左に表されている。しかしながら、両方の図は、同じサブフレーム内の同じ物理リソース・ブロックを指す。例えば、左側の物理リソース・ブロックＰＲＢ  ｋは、図３の右側の物理リソース・ブロックＰＲＢ  ｋと同じである。したがって、第１のユーザ機器および第２のユーザ機器は、セット３０５の物理リソース・ブロックにおいて互いに干渉するおそれがあり、第１のユーザ機器および第３のユーザ機器は、セット３１０の物理リソース・ブロックにおいて互いに干渉するおそれがある。
【００２３】
図１に示されるスケジューラ１１５などのスケジューラは、第１のユーザ機器、第２のユーザ機器、および第３のユーザ機器へのダウンリンク送信をスケジューリングする。したがって、スケジューラは、物理リソース・ブロックのセット３００、３０５、３１０における、異なるユーザ機器のＭＵ−ＭＩＭＯペアリングを認識する。スケジューラは、１つまたは複数のサブフレームの間、ダウンリンク送信のために割り当てられる各物理リソース・ブロックについての、第１のユーザ機器、第２のユーザ機器、および第３のユーザ機器の潜在的ペアリングを示す情報を生成してもよい。本明細書で説明するように、この情報は、例えば、図１に示される基地局１０５、１１０などの基地局によって送信される１つまたは複数のＲＲＣメッセージにおいて、ユーザ機器に提供される。
【００２４】
図４は、いくつかの実施形態による、ＭＵ−ＭＩＭＯダウンリンク送信のためのユーザ機器のペアリングのセットを識別する情報を記憶するためのテーブル４００の図である。テーブル４００は、図１に示されるユーザ機器１４０、１４５、１５０などの１つまたは複数のユーザ機器において、データ構造として記憶されてもよい。テーブル４００内のエントリの値は、例えば、図１に示される基地局１０５、１１０などの基地局によって送信される１つまたは複数のＲＲＣメッセージにおいて、ユーザ機器に提供される情報に基づいて決定されてもよい。テーブル４００は、１つまたは複数のセットの値を記憶する第１の列、セット内のペアリングされたユーザ機器を識別する値を記憶する第２の列、ペアリングされたユーザ機器の識別子の値を記憶する第３の列、ペアリングされたユーザ機器についてのセル識別子の値を記憶する第４の列、およびペアリングされたユーザ機器についてのＤＣＩメッセージにおける探索空間を示す値を記憶する第５の列を含む。テーブル４００のいくつかの実施形態は、また、図４に示されていない追加情報を含んでもよい。
【００２５】
テーブル４００の行は、ペアリングされたユーザ機器の異なるセットについての対応する情報を含む。例えば、スケジューラは、第２のユーザ機器が、ＭＵ−ＭＩＭＯのいくつかのサブフレームの間の第１のユーザ機器に対する最も有力な干渉物であると判断してもよい。したがって、第１の行が、セット１を示す値を記憶する第１のフィールド、第１のユーザ機器（ＵＥ１）と第２のユーザ機器（ＵＥ２）とのペアリングを示す値を記憶する第２のフィールド、第２のユーザ機器を識別する値（ＵＥ２−ＩＤ）を記憶する第３のフィールド、第２のユーザ機器についてのセル識別子を示す値を記憶する第４のフィールド、および第２のユーザ機器宛のＤＣＩメッセージについての探索空間を示す値を記憶する第５のフィールドを含むように、スケジューラが、テーブル４００を構成するための情報を提供してもよい。スケジューラは、また、第１のユーザ機器が、ＭＵ−ＭＩＭＯのいくつかのサブフレームの間に第２のユーザ機器および第３のユーザ機器の両方において符号語干渉除去を実行することができると判断してもよい。したがって、第２の行のフィールドの値は、それに応じて設定されてもよい。スケジューラは、第２のユーザ機器が（例えば、直交ＰＭＩまたは制限された物理リソース・ブロック利用に起因して）著しい干渉を起こす可能性がないとさらに判断してもよく、その結果、第３のユーザ機器が、ＭＵ−ＭＩＭＯのいくつかのサブフレームの間の最も有力な干渉物であり、第３の行は、それに応じて設定されてもよい。他のサブフレームの間、ＭＵ−ＭＩＭＯ送信がない（または、他のユーザ機器から無視できるレベルの干渉がある）こともあり、第４の行は、それに応じて設定されてもよい。
【００２６】
テーブル４００内のフィールドの値は、ＭＵ−ＭＩＭＯが使用されているかどうかを示す。例えば、テーブル４００内の最初の３つの行内のフィールドは、異なるユーザ機器のペアリングを識別する情報を含む。したがって、これらのフィールドのＮＵＬＬでない値は、また、ユーザ機器の特定のペアリングについてＭＵ−ＭＩＭＯが使用されていることを示す。よって、テーブル４００内の第１の行、第２の行、または第３の行を示す、図２に示されるビット２０５などの復号されたＤＣＩ情報は、復号されたＤＣＩ情報を含むサブフレームの間、ＭＵ−ＭＩＭＯが使用されているという標識をユーザ機器に提供する。別の例では、第４の行の第２のフィールドは、第１のユーザ機器のみを示す値を含み、ユーザ機器のうちのいずれかとのペアリングを示していない。さらに、第４の行の第３のフィールド、第４のフィールド、および第５のフィールドは、ＮＵＬＬ値を含み、それは、第１のユーザ機器についてＭＵ−ＭＩＭＯが使用されないことを示す。よって、テーブル４００内の第４の行を示す復号されたＤＣＩ情報は、復号されたＤＣＩ情報を含むサブフレームの間、ＭＵ−ＭＩＭＯが使用されていないという標識を、第１のユーザ機器に提供する。
【００２７】
テーブル４００が、一度ユーザ機器内で構成されると、スケジューラは、本明細書で説明するように、例えば、ユーザ機器に送信されるＤＣＩメッセージを使用して、セットのうちの１つを動的に示すことができる。例えば、スケジューラは、ユーザ機器から受信されたフィードバック、およびスケジューラによってスケジューリングされているユーザ機器の全てについての即時スケジューリング決定に基づいて、どのセットを示すかを判断してもよい。例えば、ユーザ機器が、他のユーザ機器のＤＣＩメッセージのブラインド復号を実行し、または符号語干渉除去などの高度な干渉除去技術を実行するのに十分な能力を有しない場合、ユーザ機器のいくつかの実施形態は、スケジューラによって提供される情報を無視してもよい。
【００２８】
いくつかの場合、ユーザ機器は、テーブル４００内で示されない、１つまたは複数の干渉するユーザ機器とペアリングされてもよく、ＭＵ−ＭＩＭＯのためにスケジューリングされてもよい。したがって、ユーザ機器およびスケジューラは、干渉除去または干渉抑制のためのネットワーク支援がない、従来の動作へと逆戻りしてもよい。ユーザ機器が、ＭＵ−ＭＩＭＯの間効果的に干渉を除去することができれば、ユーザ機器をペアリングするための基準が著しく緩和されてもよく、それによって、このシナリオが回避されることが可能となり得る。
【００２９】
図５は、いくつかの実施形態による、符号語干渉除去を実施するユーザ機器５００のブロック図である。ユーザ機器５００は、ＭＵ−ＭＩＭＯの間に他の（干渉する）ユーザ機器と共有される物理リソース・ブロックにおけるダウンリンク送信など、エア・インターフェースを介して信号を受信する１つまたは複数のアンテナ５０５を含む。アンテナ５０５からの信号は、干渉するユーザ機器に送信される信号のための空間チャネルを推定する、チャネル推定器（ＣＨＮ  ＥＳＴ）５１０に提供される。アンテナ５０５からの信号は、また、チャネル推定器５１０によって決定される空間チャネルに基づいて、干渉するユーザ機器に送信される変調信号を推定するために、線形最小平均二乗誤差（ＬＭＭＳＥ）推定器５１１に提供される。推定された信号は、復調器５１２によって復調され、復調された信号は、デスクランブラ５１３によって（例えば、干渉するユーザ機器の識別子または他のスクランブル・コードを使用して）デスクランブルされる。フラグメンタ５１４は、デスクランブルされた信号をフラグメントし、次いで、信号は、論理ブロック５１５においてデインターリーブおよびデレート・マッチされる。論理ブロック５１５によって生成された信号は、次いで、干渉するユーザ機器に送信される情報の値を取り出すために、復号器５１６によって復号されてもよい。
【００３０】
巡回冗長検査（ＣＲＣ）は、復号された情報が何らかのエラーを含むかどうかを判断するために、論理ブロック５１７において実行されてもよい。エラーを含む場合、復号されたメッセージは、その後の干渉除去に使用されなくともよい。一方、復号されたメッセージが、論理ブロック５１７においてＣＲＣ検査を通過する場合、復号されたメッセージは、干渉するユーザ機器へのエア・インターフェースを介した送信のために基地局によって生成される信号に対応する、符号化された信号を生成するために、符号化器５１８によって符号化され、論理ブロック５１９においてインターリーブおよびレート・マッチされ、論理ブロック５２０において連結され、スクランブラ５２１によって（例えば、干渉するユーザ機器の識別子または他のスクランブル・コードを使用して）スクランブルされ、変調器５２２において変調されてもよい。
【００３１】
乗算器５２３は、符号化された信号を表すベクトルにチャネル推定器５１０によって生成される推定チャネルを表すマトリクスを掛けて、アンテナ５０５で受信される信号の干渉部分を表す信号を生成してもよい。乗算器５２３によって提供される信号は、干渉するユーザ機器に送信される信号によってもたらされる干渉を除去するために、アンテナ５０５によって受信される信号から（減算器５２４において）減算される。アンテナ５０５からの信号は、ユーザ機器５００に送信される信号のための空間チャネルを推定する、チャネル推定器（ＣＨＮ  ＥＳＴ）５２５に提供される。減算器５２４によって生成される信号、即ち、干渉除去された信号は、チャネル推定器５２５によって決定される空間チャネルに基づいて、ユーザ機器５００に送信される変調信号を推定するために、ＬＭＭＳＥ推定器５３０に提供される。ＬＭＭＳＥ推定器５３０によって生成される信号は、次いで、ユーザ機器５００に送信されるメッセージ内の情報を取り出すために、復調および復号されてもよい。
【００３２】
図６は、いくつかの実施形態による、干渉除去または干渉抑制のために構成情報をユーザ機器に提供する方法６００のフロー図である。方法６００は、図１に示される基地局１０５、１１０、またはスケジューラ１１５のいくつかの実施形態において実施されてもよい。ブロック６０５で、スケジューラは、後続のサブフレームにおけるＭＵ−ＭＩＭＯダウンリンク送信のために、第１のユーザ機器と１つまたは複数の第２の（干渉する）ユーザ機器との潜在的なペアリングを示すセットを決定する。本明細書で説明するように、潜在的なペアリングは、第１のユーザ機器または第２のユーザ機器からのフィードバック、第１のユーザ機器および第２のユーザ機器の間の干渉の推定、第１のユーザ機器または第２のユーザ機器の能力などに基づいて決定されてもよい。ブロック６１０で、潜在的なペアリングのセットを示す構成情報が、第１のユーザ機器に提供される。例えば、１つまたは複数の基地局は、スケジューラによって生成された構成情報を、１つまたは複数のＲＲＣメッセージ内において第１のユーザ機器に送信してもよい。第１のユーザ機器は、干渉除去または干渉抑制の間、その後の使用のために、例えばテーブル内に構成情報を記憶してもよい。
【００３３】
決定ブロック６１５で、スケジューラは、ＭＵ−ＭＩＭＯが、サブフレームの１つまたは複数の物理リソース・ブロックにおけるダウンリンク送信に使用されるべきどうかを決定する。使用されない場合、１つまたは複数の基地局は、ＤＣＩメッセージを含むサブフレームの物理リソース・ブロックにおいて、ＭＵ−ＭＩＭＯが使用されていないことを示す情報を含むＤＣＩメッセージを（ブロック６２０で）送信する。本明細書で説明するように、ＤＣＩメッセージ内の情報は、第１のユーザ機器のペアリングを示さない、またはＮＵＬＬ値の１つまたは複数のフィールドを含む複数のセットのうちの１つを示す、１つまたは複数のビットを含んでもよい。したがって、第１のユーザ機器は、ＳＵ−ＭＩＭＯが使用されているか、またはＭＩＭＯが全く使用されていないかのように動作してもよい。ＭＵ−ＭＩＭＯが、サブフレームの１つまたは複数の物理リソース・ブロックにおけるダウンリンク送信のための使用である場合、基地局は、ＤＣＩメッセージを含むサブフレームの物理リソース・ブロックにおいて、ＭＵ−ＭＩＭＯが使用されていることを示す情報を含むＤＣＩメッセージを（ブロック６２５で）送信する。本明細書で説明するように、ＤＣＩメッセージ内の情報は、第１のユーザ機器と１つまたは複数の第２のユーザ機器とのペアリングを識別する情報を含むセットを示す、１つまたは複数のビットを含んでもよい。方法６００は、基地局によって送信される、連続する各サブフレームについて、ブロック６１５、６２０、６２５の動作を繰り返してもよい。
【００３４】
決定ブロック６３０で、スケジューラは、ユーザ機器に記憶されるセットの構成が、変更されるべきであると決定してもよい。例えば、スケジューラは、第１のユーザ機器と１つまたは複数の第２のユーザ機器との潜在的ペアリングが、第１のユーザ機器または第２のユーザ機器からのフィードバックの変化、第１のユーザ機器および第２のユーザ機器の間の干渉の推定、第１のユーザ機器または第２のユーザ機器の能力などに起因して変化したと決定してもよい。その場合、方法６００は、ブロック６０５に移動してもよく、スケジューラは、ユーザ機器の新たなペアリングに基づいて、構成情報のセットを再決定してもよい。更新は、ＲＲＣメッセージの送信のための時間スケール、例えば、いくつかのサブフレームに対応する時間スケールで実行されてもよい。
【００３５】
図７は、いくつかの実施形態による、干渉除去または干渉抑制のための、ユーザ機器を構成する方法７００のフロー図である。方法７００は、図１に示されるユーザ機器１４０、１４５、１５０のいくつかの実施形態において実施されてもよい。ブロック７０５で、ユーザ機器は、１つまたは複数の基地局からＲＲＣメッセージ内の情報を受信し、この情報を使用して、ユーザ機器と１つまたは複数の干渉するユーザ機器とのペアリングの複数のセットを表す情報を含むように、テーブル（または他のデータ構造）を構成する。ブロック７１０で、ユーザ機器は、ＤＣＩメッセージを含むサブフレーム中に使用されるＭＩＭＯモード（例えば、シングルユーザまたはマルチユーザ）を示す情報を含むＤＣＩメッセージを受信する。本明細書で説明するように、ＤＣＩメッセージ内の情報は、ユーザ機器のテーブルに記憶されるペアリングの複数のセットのうちの１つを示す、１つまたは複数のビットを含んでもよい。
【００３６】
決定ブロック７１５で、ユーザ機器は、ＭＵ−ＭＩＭＯが、ＤＣＩメッセージを含むサブフレームの間の１つまたは複数の物理リソース・ブロックにおけるダウンリンク送信に使用されているかどうかを判断する。使用されていない場合、ユーザ機器は、ネットワーク支援型干渉除去抑制方法を使用しなくともよく、その代わりに、干渉するユーザ機器からの干渉にＭＭＳＥ−ＩＲＣなどのあまり高度でない技術を（ブロック７２０において）使用してもよい。ＤＣＩメッセージ内の情報が、ＤＣＩメッセージを含むサブフレームの間ＭＵ−ＭＩＭＯが使用されていることを示す場合、ユーザ機器は、ＤＣＩメッセージ内の情報を使用して、ユーザ機器ペアリングの複数のセットを含むテーブルに（ブロック７２５で）アクセスしてもよい。例えば、ユーザ機器は、ＤＣＩメッセージ内の１つまたは複数のビットを使用して、複数のセットのうちの１つを識別してもよく、それが、１つまたは複数の干渉するユーザ機器の１つまたは複数のＤＣＩメッセージ内の探索空間を識別する情報を含んでもよい。
【００３７】
ブロック７３０で、ユーザ機器は、ＤＣＩメッセージ内で示される探索空間を介して、１つまたは複数の干渉するユーザ機器宛のＤＣＩメッセージをブラインド復号する。ユーザ機器のいくつの実施形態は、１つまたは複数の干渉するユーザ機器宛の１つまたは複数のＤＣＩメッセージの復号に成功することができ、復号されたＤＣＩメッセージから干渉するユーザ機器についての動的スケジューリング情報を取り出してもよい。動的スケジューリング情報の例は、ＤＣＩメッセージを含むサブフレーム内のダウンリンク送信を変調および符号化するために使用される変調および符号化方式、ＤＣＩメッセージを受信するべきユーザ機器の識別子、ダウンリンク・チャネルへの物理リソース・ブロックの割り当て、レイヤ・マッピング、および復調用参照信号ポート・マッピングを含む。ブロック７３５で、ユーザ機器は、干渉するユーザ機器宛の復号されたＤＣＩメッセージから取り出されたスケジューリング情報を使用して、干渉するユーザ機器について干渉除去または干渉抑制を実行する。方法７００のいくつかの実施形態は、連続する各サブフレームにおいて、そのサブフレーム内で受信されるＤＣＩメッセージに基づいて、ブロック７１０、７１５、７２０、７２５、７３０、７３５を繰り返してもよい。
【００３８】
図８は、いくつかの実施形態による、無線通信システム８００の例のブロック図である。無線通信システム８００は、１つまたは複数のユーザ機器８１０、８１５、８２０へのダウンリンク送信をスケジューリングするための基地局８０５を含む。基地局８０５のいくつかの実施形態は、図１に示される基地局１０５、１１０のうちの１つまたは複数を実装するために使用されてもよい。基地局８０５は、ＭＩＭＯアンテナ・アレイ８２５に接続され、図１に示されるスケジューラ１１５などのスケジューラを実装してもよい。しかしながら、スケジューラのいくつかの実施形態は、本明細書で説明するように、バックホール接続によって基地局８０５に接続される、別のエンティティとして実装されてもよい。ユーザ機器８１０、８１５、８２０のいくつかの実施形態は、図１に示されるユーザ機器１４０、１４５、１５０を実装するために使用されてもよい。
【００３９】
基地局８０５は、エア・インターフェース８３５を介してダウンリンク信号を送信するための送受信機８３０を含む。基地局８０５は、また、プロセッサ８４０およびメモリ８４５を含む。プロセッサ８４０は、メモリ８４５に記憶された命令を実行し、実行された命令の結果などの情報をメモリ８４５に記憶させるために使用されてもよい。基地局８０５のいくつかの実施形態は、図６に示される方法６００を実施して、ユーザ機器ペアリングを識別する予め提供された情報、およびサブフレーム単位のユーザ・ペアリングのうちの１つを示す情報を含むＤＣＩメッセージに基づいて、ネットワーク支援型干渉除去抑制を実行するように、ユーザ機器８１０を構成してもよい。
【００４０】
ユーザ機器８１０は、エア・インターフェース８３５を介してダウンリンク信号を受信するための送受信機８５５に連結される、１つまたは複数のアンテナ８５０を含む。ユーザ機器８１０は、また、プロセッサ８６０およびメモリ８６５を含む。プロセッサ８６０は、メモリ８６５に記憶された命令を実行し、実行された命令の結果などの情報をメモリ８６５に記憶させるために使用されてもよい。プロセッサ８６０のいくつかの実施形態は、干渉除去または干渉抑制を実行するための複数のモジュール８７０、８７５を実装する。例えば、モジュール８７０は、ＭＭＳＥ−ＩＲＣまたは逐次干渉除去などのあまり高度ではない干渉除去または干渉抑制アルゴリズムを実装してもよい。モジュール８７５は、図５に示されるように、符号語干渉除去などのより高度な干渉の除去および抑制アルゴリズムを実装してもよい。プロセッサ８６０のいくつかの実施形態は、図７に示される方法７００を実施して、（図４に示されるテーブル４００などのテーブルとしてメモリ８６５に記憶されてもよい）ユーザ機器ペアリングを識別する情報と、ユーザ・ペアリングのうちの１つを示す情報を含む、送受信機８５５によって受信されたＤＣＩメッセージとに基づき、モジュール８７０、８７５のうちの選択された１つを使用して、干渉除去または干渉抑制を実行してもよい。
【００４１】
いくつかの実施形態では、上述した技術のある態様は、ソフトウェアを実行する処理システムの１つまたは複数のプロセッサによって実施されてもよい。ソフトウェアは、非一時的コンピュータ可読記憶媒体上に記憶されるか、または有形に具現化された、実行可能な命令の１つまたは複数のセットを含む。ソフトウェアは、１つまたは複数のプロセッサによって実行されるときに、１つまたは複数のプロセッサを操作して上述した技術の１つまたは複数の態様を実行する、命令、および一定のデータを含み得る。非一時的コンピュータ可読記憶媒体は、例えば、磁気もしくは光ディスク記憶デバイス、フラッシュ・メモリなどのソリッド・ステート記憶デバイス、キャッシュ、ランダム・アクセス・メモリ（ＲＡＭ）、または他の不揮発性メモリ・デバイスなどを含み得る。非一時的コンピュータ可読記憶媒体に記憶される実行可能な命令は、ソース・コード、アセンブリ言語コード、オブジェクト・コード、または１つもしくは複数のプロセッサによって解釈され、もしくは実行可能な他の命令形式であってもよい。
【００４２】
コンピュータ可読記憶媒体は、命令および／またはデータをコンピュータ・システムに提供するために、使用中にコンピュータ・システムによってアクセス可能な、任意の記憶媒体または記憶媒体の組み合わせを含んでもよい。そのような記憶媒体は、光学媒体（例えば、コンパクト・ディスク（ＣＤ）、デジタル多用途ディスク（ＤＶＤ）、ブルーレイ・ディスク）、磁気媒体（例えば、フロッピー・ディスク、磁気テープ、もしくは磁気ハード・ドライブ）、揮発性メモリ（例えば、ランダム・アクセス・メモリ（ＲＡＭ）、もしくはキャッシュ）、不揮発性メモリ（例えば、読み取り専用メモリ（ＲＯＭ）、もしくはフラッシュ・メモリ）、またはマイクロ電気機械システム（ＭＥＭＳ）ベースの記憶媒体を含み得るが、これらに限定されない。コンピュータ可読記憶媒体は、コンピューティング・システムに埋め込まれてもよく（例えば、システムＲＡＭもしくはＲＯＭ）、コンピューティング・システムに固定的に取り付けられてもよく（例えば、磁気ハード・ドライブ）、コンピューティング・システムに着脱可能に取り付けられてもよく（例えば、光ディスクもしくはユニバーサル・シリアル・バス（ＵＳＢ）ベースのフラッシュ・メモリ）、または、有線もしくは無線ネットワークを介してコンピュータ・システムに連結されてもよい（例えば、ネットワーク・アクセス可能記憶装置（ＮＡＳ））。
【００４３】
概説において上述したアクティビティまたは要素のうちの全てが必要とされるわけではなく、特定のアクティビティまたはデバイスの一部は、必要でなくともよく、説明されたものに加えて、１つもしくは複数のさらなるアクティビティが実行されてもよく、または１つもしくは複数のさらなる要素が含まれてもよいことに留意されたい。さらに、列挙されたアクティビティの順序は、必ずしもそれらが実行される順序ではない。また、特定の実施形態を参照して、概念が説明されてきた。しかしながら、当業者であれば、以下の特許請求の範囲に示される本開示の範囲から逸脱することなく、様々な修正および変更が行われることが可能であると理解する。したがって、明細書および図面は、限定的な意味ではなく例示的な意味にみなされるべきであり、そのような修正の全てが、本開示の範囲内に含まれると意図される。
【００４４】
利益、他の利点および問題に対する解決策が、特定の実施形態に関連して上述されてきた。しかしながら、利益、利点、問題に対する解決策、および任意の利益、利点、もしくは解決策を生じさせ、またはより顕著にし得る任意の特徴は、任意のまたは全ての請求項の重大な特徴、必要な特徴、または不可欠な特徴として解釈されるべきではない。さらに、開示された主題は、本明細書における教示の利益を有する当業者には明らかな、異なるが同等のやり方で、修正および実施され得るように、上記で開示された特定の実施形態は、単なる例示である。以下の特許請求の範囲に記載されるものとは異なり、本明細書で示される構造または設計の詳細に限定は意図されていない。したがって、上記で開示された特定の実施形態は、変更され、または修正されてもよく、そのような変形は全て、開示された主題の範囲内と考えられることは明らかである。したがって、本明細書において求められる保護は、以下の特許請求の範囲において示されるものである。
【図１】
0006496020.tif 000002
【図２】
0006496020.tif 000003
【図３】
0006496020.tif 000004
【図４】
0006496020.tif 000005
【図５】
0006496020.tif 000006
【図６】
0006496020.tif 000007
【図７】
0006496020.tif 000008
【図８】
0006496020.tif 000009